(57)【要約】【課題】  簡単かつ安価な構造で、これにより小物を何処にでも吊り下げることができるとともに、使い捨てによる使用も可能なシートハンガを提供する。【解決手段】  シートハンガ１０のハンガ本体１１に掛止部１３と両面テープ１４とを形成した構造を採用するようにしたので、簡単かつ安価な構造で、テーブル２０などや車のダッシュボードなど、何処にでも小物１８を吊り下げることができる。しかも、使い捨てによる使用も可能である。【選択図】図１
0003112253.tif 000002
【実用新案登録請求の範囲】
【請求項１】
シート形状を有するハンガ本体と、
該ハンガ本体に設けられ、弾性を有して複数の山形突起が環状または線状に連続した掛止部と、
前記ハンガ本体の一部に設けられ、該ハンガ本体を被取付物に固着状態または着脱自在に取り付ける取り付け部とを備えたシートハンガ。
【請求項２】
前記ハンガ本体には、前記山形突起が環状に連続した掛止部と、前記山形突起が線状に連続した別の掛止部とがそれぞれ設けられた請求項１に記載のシートハンガ。
【請求項３】
シート形状のハンガ本体と、
該ハンガ本体に一体または別体で設けられ、表裏面を貫通する掛止孔が形成された掛止部と、
前記ハンガ本体の一部に設けられ、該ハンガ本体を被取付物に固着状態または着脱自在に取り付ける取り付け部とを備えたシートハンガ。
【請求項４】
シート形状のハンガ本体と、
該ハンガ本体に一体または別体で設けられ、表裏面を貫通する掛止孔が形成された掛止部と、
前記ハンガ本体の一部に設けられ、該ハンガ本体を被取付物に固着状態または着脱自在に取り付ける取り付け部とを備え、
前記掛止部は弾性を有し、該掛止部の弾性力により前記掛止孔は孔径が拡縮自在となったシートハンガ。
【請求項５】
前記ハンガ本体は、財布や衣服のポケットに収納可能な大きさのカードで、
前記取り付け部は両面テープである請求項１〜請求項４のうち、何れか１項に記載のシートハンガ。
【請求項６】
前記取り付け部は、前記ハンガ本体に対して略直角な屈曲状態、または、略直角に屈曲可能な状態で設けられた請求項１〜請求項５のうち、何れか１項に記載のシートハンガ。
【請求項７】
前記取り付け部は、前記ハンガ本体の屈曲可能な一端部に設けられ、
該ハンガ本体には、該ハンガ本体の一端部を屈曲状態のままで支持する支持体が設けられた請求項１〜請求項６のうち、何れか１項に記載のシートハンガ。
【請求項８】
前記ハンガ本体は複数の部分ハンガ本体を有し、
各部分ハンガ本体は、扇形状または蛇腹形状に折り畳み自在に連結された請求項１〜請求項７のうち、何れか１項に記載のシートハンガ。
【請求項９】
前記ハンガ本体の外周部には、ハンドバッグの吊り紐などを掛止する切欠部が形成されているか、形成可能に設けられた請求項１〜請求項８のうち、何れか１項に記載のシートハンガ。
【考案の詳細な説明】
【技術分野】
【０００１】
この考案はシートハンガ、詳しくは、ハンカチ、タオル、靴下、ビニール袋、メモ用紙などの小物を主に吊り下げ可能なシートハンガに関する。
【背景技術】
【０００２】
従来のハンガ（吊り下げ具）として、例えば特許文献１が知られている。特許文献１は、正三角形状を有する洋服ハンガを折り畳み自在とし、乾燥機能を持たせるとともに、携帯に便利なようにコンパクト化したものである。
【特許文献１】特開平１０−３１４００３号公報
【考案の開示】
【考案が解決しようとする課題】
【０００３】
しかしながら、特許文献１のハンガは、構造が複雑で高価であった。しかも、この洋服ハンガを利用して小物を吊り下げる場合には、単にハンガに横架された横棒に小物を引っ掛けるだけであった。そのため、小物が横棒からずれ落ち易かった。
また、特許文献１では、フックによる吊り下げ方式を採用していた。そのため、フックを掛止可能な突起や棒などがなければ、小物を吊り下げることはできなかった。
【０００４】
この考案は、簡単かつ安価な構造で、かつ使用方法が容易であるとともに、小物をしっかりと引っ掛けて吊り下げることができるシートハンガを提供することを目的としている。
また、この考案は、小物を何処にでも吊り下げることができ、しかも携帯に優れて、使い捨てが可能なシートハンガを提供することを目的としている。
この考案は、コンパクトに収納することができるシートハンガを提供することを目的としている。
【０００５】
この考案は、１つのハンガ本体に、素材や大きさが異なる複数の小物でも、同時に吊り下げることができるシートハンガを提供することを目的としている。
この考案は、垂直な壁などにシートハンガを取り付ける際、小物が掛止し易いように掛止部を水平に配置することができるシートハンガを提供することを目的としている。
この考案は、比較的大きな物や比較的重い物でも吊り下げることができるシートハンガを提供することを目的としている。
【課題を解決するための手段】
【０００６】
請求項１に記載の考案は、シート形状を有するハンガ本体と、該ハンガ本体に設けられ、弾性を有して複数の山形突起が環状または線状に連続した掛止部と、前記ハンガ本体の一部に設けられ、該ハンガ本体を被取付物に固着状態または着脱自在に取り付ける取り付け部とを備えたシートハンガである。
【０００７】
請求項１に記載の考案によれば、取り付け部を介して、ハンガ本体を被取付物に固着状態または着脱自在に取り付け、その後、掛止部の山形突起と山形突起との隙間に、例えばハンカチ、タオル、靴下、メモ用紙、ビニール袋などの小物の一部を押し込んでこれを掛止し、小物をハンガ本体に吊り下げる。
なお、ハンガ本体の取り付けと、掛止部への小物の吊り下げとの順序は限定されない。例えば、小物を掛止部に掛止した後、ハンガ本体を被取付物に取り付けてもよい。また、その反対でもよい。
小物を掛止部に差し込むと、小物が掛止部の山形突起に引っ掛かる。これにより、簡単かつ安価な構造で、しかも使用方法も容易でありながら、小物をしっかりとハンガ本体に吊り下げることができる。
【０００８】
小物を掛止部から外すとき（掛止解除時）には、山形突起が弾性を有しているため、例えば小物を強く引っ張るだけで、各山形突起による小物の引っ掛けが強制的に解除される。しかも、掛止状態が解除された直後、山形突起は元の形状および元の位置に弾性復帰する。これにより、シートハンガは、再使用が可能となる。
ハンガ本体が被取付物に着脱自在に取り付けられている場合には、取り付け部を被取付物から外すことで、シートハンガを別の場所で使用することもできる。
【０００９】
ハンガ本体は、シート形状であれば、湾曲自在な弾性体でもよいし、ほとんど湾曲しない剛体でもよい。
ハンガ本体の素材は限定されない。例えば、各種のプラスチック（ポリエチレン、ポリプロピレン、ポリスチレン、ＡＢＳ樹脂、ポリ塩化ビニル、ポリエチレンテレフタレート（ＰＥＴ）など）、各種の紙（パルプ紙、古紙、和紙、ダンボール、紙の一面側または両面側をプラスチックシート（プラスチックフィルム）により被覆したり、紙の一面側または両面側に合成樹脂が塗布（スプレー塗布など）されたラミネート紙など）、各種の金属（鉄（ステンレスを含む）、アルミニウム、銅、ニッケル、トタンなど）、各種の木（杉、檜、松、楓、桐など）、各種のセラミックスなどを採用することができる。このうち、価格を考慮すると、一面側がプラスチックシートでラミアネートされたラミネート紙などが好適である。
【００１０】
ただし、ハンガ本体が弾性を有するシート状の部材で、かつハンガ本体と掛止部とが一体形成されるとともに、素材が紙、木、セラミックスの場合には、使用時にハンガ本体が破損し易いため、ハンガ本体の一面側または両面側をプラスチックシート（プラスチックフィルム）によりラミネート、ハンガ本体の一面側または両面側に合成樹脂を塗布してフィルム化したラミネートなどを施した方が好ましい。
また、ハンガ本体と掛止部とを別体としたものでもよい。その場合、ハンガ本体は弾性体でもよいし、剛体でもよい。
【００１１】
弾性を有するハンガ本体に掛止部を一体形成した場合には、シートハンガをさらに低コスト化することができる。剛体のハンガ本体と掛止部とを別体で形成した場合には、ハンガ本体が剛体であるので、小物を被取付物にしっかりと吊り下げることができる。
シートハンガの好ましい構成としては、シート形状のハンガ本体と、小物を掛止する掛止部とが略同じ厚さで、ハンガ全体がシート形状である。このようにシート形状の薄いハンガであるので、その大きさを名刺サイズとすれば、財布などに入れて手軽に持ち運ぶことができる。そのため、旅行や出先などでの使用にも適している。
【００１２】
ハンガ本体の形状は限定されない。例えば、円形状、楕円形、三角形以上の多角形状を採用することができる。その他、任意の形状（何れも平面視して、例えば人間、動物（犬、猫、鼠、蛙、蜂、ライオン、虎、豹、熊など）、魚（鯛、ヒラメ、鰹、鰺、秋刀魚、金魚、イルカ、鯨など）、蛸、イカ、蟹、海老、植物（各種の花、各種の木など）、乗り物（自動車、飛行機、船など）、各種のキャラクタ（アニメを含む）、各種の靴、各種の建
物（家、ビルなど）、各種の鞄、各種の鍵、各種の釣り用品（浮き、リールなど）、各種の衣類（上着、下着など）、各種の家電品（洗濯機、冷蔵庫、掃除機、テレビ、パソコン、エアコン、空気清浄機、ヘアードライヤ、電子辞書、カーナビなど）、各種の通信機器（携帯電話など）でもよい。
【００１３】
ハンガ本体の表面および裏面のうち、少なくとも１面は広告面やメモ書き面としてもよい。
ハンガ本体の大きさは限定されない。例えば、キャッシュカードサイズまたは名刺サイズ（縦６〜１２ｃｍ×横３〜８ｃｍ（通常、縦９ｃｍ前後×横６ｃｍ前後））でもよい。
その他、ハガキサイズでもよい。
【００１４】
シートとは、例えば厚さが略均一な板材またはフィルム材などをいう。シートは、ブロックまたは内部空間を有したボックスとは異なる。シートの形態としては、例えば平坦なシートでもよいし、湾曲（波形を含む）したシートでもよい。また、屈曲（鋭角な屈曲、直角な屈曲、鈍角な屈曲、鋸刃形状を含む）したシートでもよい。さらに、環状のシートでもよい。そして、折り畳み（二つ折り、三つ折り、四つ折りなど複数折り、その他にも蛇腹折り、扇折り）が可能なシートでもよい。シートには、一部分に凹凸があっても、一部に切欠部（溝を含む）があってもよい。さらにまた、その一部に素材が異なる部分を有したシートでもよい。単層シートでもよいし、２枚以上のシート（フィルム）を重ね合わせた複層式のシートでもよい。
【００１５】
ハンガ本体は、表面と裏面とが平行な板または枠（厚さが均一）でもよいし、表面と裏面とのうち、一部または全部が平行でない板または枠（厚さが不均一）でもよい。また、板材または枠材は平坦な板か枠でもよいし、一部または全部が湾曲した板か枠、さらには一部が屈曲した板または枠でもよい。
ハンガ本体の大きさは限定されない。
【００１６】
ハンガ本体の厚さは限定されない。例えば、０．１〜２０ｍｍ、好ましくは０．２〜５ｍｍである。ハンガ本体が掛止部と一体化した弾性を有するプラスチックの場合には、０．２〜０．５ｍｍである。０．２ｍｍ未満では、ハンガ本体が軟らか過ぎてハンガ本体に張りがなく、若干使い難い。また、０．５ｍｍを超えるとハンガ本体が硬過ぎて、山形突起の弾性がほとんどなくなり、使用時に山形突起が折れたり欠けたりするとともに、引っ掛けられる被掛止物を傷つけ易い。この例でのハンガ本体の好ましい厚さは、０．３〜０．４ｍｍである。この範囲であれば、掛止部を別体で設けることなく、ハンガ本体の全体にシートハンガの基体としての適度な張りと、使用時に山形突起が折れ難い適度な柔軟性とを得ることができる。
【００１７】
山形突起の形状は山形であれば限定されない。例えば、先端が鋭利な山形（三角形）でもよいし、先端に丸みを有した山形（波形を含む）でもよい。山形突起の起伏の幅は限定されない。また、全ての山形突起を同じ高さ（起伏）としてもよいし、異なる高さ（起伏）としてもよい。例えば、隣接する山形突起同士を異なる高さ（起伏）としてもよい。
山形突起の総本数は限定されない。２つでもよいし、３つ以上でもよい。また、全ての山形突起または一部の山形突起には、その隣接する山形突起との突き合わせ辺部に、この山形突起による小物の掛止を補助するため、１つまたは複数の山形片を形成してもよい。
ここでいう山形突起の配置が環状とは、シート表面に正対する方向からハンガ本体を視て山形突起の配置が円形でもよいし、三角形以上の多角形でもよい。または、他の任意の無端形状でもよい。
ここでいう山形突起の配置が線状とは、シート表面に正対する方向からハンガ本体を視て山形突起の配置が直線状でもよいし、屈曲した線状でもよいし、湾曲した線状でもよい。また、山形突起の配置は、一部が環状で他部が直線状でもよい。
【００１８】
掛止部は、ハンガ本体に１つだけ形成してもよいし、複数形成してもよい。掛止部の大きさは限定されない。
掛止部に形成されるスリットの形状は限定されない。例えば、１本の直線形状または湾曲形状（屈曲を含む）のスリットでもよい。また、山形（波形を含む）を連ねたスリットでもよい。スリットの本数は１本でもよいし、２本以上でもよい。また、スリットの長さおよびスリットの幅も限定されない。
掛止部に形成される孔の形状は限定されない。丸孔でもよいし、楕円孔でもよい。また、三角形以上の多角形孔でもよい。さらには、任意形状の孔でもよい。
【００１９】
孔の形成数は、１つでもよいし、２つ以上でもよい。また、孔の大きさは限定されない。ただし、好ましくは丸孔の場合で直径１〜１０ｍｍである。この範囲であれば、靴下、下着、ハンカチ、タオルなどを掛止部に掛止し易い。
掛止部は弾性を有しているので、スリットや孔に被掛止物を指などで押し込むと、弾性変形していったん広がり、その後、指などを放すことで、そのスリットや孔が元の大きさに萎む。このとき、被掛止物は、スリットの形成壁や孔の形成壁により挟持され、掛止部に掛止される。
【００２０】
掛止部の素材は弾性を有していれば限定されない。例えば、天然ゴム、合成ゴム、各種の軟質プラスチック（軟質ポリエチレン、軟質ポリプロピレン、軟質ポリ塩化ビニル、ポリウレタンなど）を採用することができる。これらは、発泡性（スポンジ状）を有するものでもよい。
掛止部は、ハンガ本体と同じ素材で一体的に形成してもよいし、同じ素材または別の素材で別体で形成してもよい。
掛止部は、ハンガ本体と略同じ厚さで、掛止部の表裏面の一方が、ハンガ本体の表裏面の一方と略同じ高さに揃えられたものとすれば、シートハンガの厚さを薄くすることができる。
取り付け部のハンガ本体上での形成位置は限定されない。例えば、ハンガ本体の端部に設けてもよいし、ハンガ本体の中央部に設けてもよい。ただし、掛止部の形成部分は除いた方が好ましい。
【００２１】
取り付け部は、ハンガ本体の表面側（一面側）に設けてもよいし、ハンガ本体の裏面側（他面側）に設けてもよい。さらには、ハンガ本体の表面側および裏面側の両方に配設してもよい。取り付け部は、ハンガ本体と一体化し、かつハンガ本体の外に突出した湾曲部や、屈曲部に設けることができる。
取り付け部としては、ハンガ本体を被取付物に固着または着脱自在とする、例えば両面テープ、接着剤（剥離可能な接着剤を含む）などを採用することができる。
その他の取り付け部としては、ハンガ本体を被取付物に掛止する、例えば面状ファスナ、クリップ、フック、ホック、ベルト、帯、紐、糸、ワイヤ、磁石などを採用することができる。
【００２２】
請求項２に記載の考案は、前記ハンガ本体には、前記山形突起が環状に連続した掛止部と、前記山形突起が線状に連続した別の掛止部とがそれぞれ設けられた請求項１に記載のシートハンガである。
【００２３】
請求項２に記載の考案によれば、山形突起が環状に連続した掛止部により、例えばハンカチや靴下などの布製品、ビニール袋などを掛止することができる。しかも、山形突起が線状に連続した別の掛止部を使用し、例えばメモ用紙なども同時または単独で掛止することができる。もちろん、両掛止部に掛止される被掛止物は限定されない。
【００２４】
請求項３に記載の考案は、シート形状のハンガ本体と、該ハンガ本体に一体または別体で設けられ、表裏面を貫通する掛止孔が形成された掛止部と、前記ハンガ本体の一部に設けられ、該ハンガ本体を被取付物に固着状態または着脱自在に取り付ける取り付け部とを備えたシートハンガである。
【００２５】
請求項３に記載の考案によれば、取り付け部を介して、ハンガ本体を被取付物に固着状態または着脱自在に取り付けるとともに、掛止孔を介して、小物の一部を掛止部に引っかける。その結果、簡単かつ安価な構造で、小物をハンガ本体に吊り下げることができる。また、ハンガ本体が被取付物に着脱自在に取り付けられている場合には、取り付け部を被取付物から外することで、シートハンガを別の場所で使用することもできる。
【００２６】
ハンガ本体および掛止部は、それぞれ剛体でもよいし、弾性体でもよい。
また、ハンガ本体および掛止部の素材はそれぞれ限定されない。例えば請求項１のハンガ本体または掛止部と同じ素材を採用することができる。掛止部は、ハンガ本体に一体的に設けてもよいし、ハンガ本体に別体で設けてもよい。
掛止孔の形状は限定されない。例えば、円形、楕円形、三角形以上の多角形、その他任意の形状でもよい。
掛止孔の大きさは、対象とする被掛止物に応じて適宜変更される。例えば直径１〜１０ｍｍである。ただし、掛止部を剛体から形成した場合には、引っ掛けられる小物の一部が挿通可能な大きさでなければならない。
掛止孔の形成数は、１つでもよいし、２つ以上でもよい。
【００２７】
掛止部は、小物を掛止できればどのような形状でもよい。例えば、鉤形状でもよいし、リング形状でもよい。ハンガ本体上での掛止部の形成位置としては、例えば、ハンガ本体の先端部でもよいし、元部でもよい。また、掛止部はハンガ本体の中央部でもよい。
掛止部は、ハンガ本体に形成された任意形状の切欠部に隣接して設けてもよい。掛止部を切欠部に隣接して設けた場合には、小物を掛止部に掛止する際、掛止部に隣接する切欠部という空間の存在により、小物の掛止作業が容易になる。
切欠部は、ハンガ本体の外周縁から延びたものでもよいし、ハンガ本体の内側（例えば中央部）に形成されたものでもよい。切欠部の形状、大きさ、ハンガ本体における形成位置は限定されない。要は、掛止部と隣接する切り欠き（スリットを含む）であればよい。
【００２８】
請求項４に記載の考案は、シート形状のハンガ本体と、該ハンガ本体に一体または別体で設けられ、表裏面を貫通する掛止孔が形成された掛止部と、前記ハンガ本体の一部に設けられ、該ハンガ本体を被取付物に固着状態または着脱自在に取り付ける取り付け部とを備え、前記掛止部は弾性を有し、該掛止部の弾性力により前記掛止孔は孔径が拡縮自在となったシートハンガである。
【００２９】
請求項４に記載の考案によれば、取り付け部を介して、ハンガ本体を被取付物に固着状態または着脱自在に取り付けるとともに、掛止部の弾性力に抗して、小物の一部を指などで掛止孔に押し込む。その後、押し込んだ指などを抜き取れば、それと同時に掛止部の弾性力によって掛止孔が縮まり、小物が掛止部に引っ掛かる。その結果、簡単かつ安価な構造で、しかも使用方法も容易でありながら、小物をハンガ本体に傷付けることなく吊り下げることができる。
【００３０】
小物の掛止解除時には、例えば小物を強く引っ張るだけで、弾性的に収縮した掛止孔の形勢壁による小物の引っ掛かりが強制的に解除される。しかも、掛止状態が解除された直後、掛止孔は元の寸法および元の位置に弾性復帰する。これにより、シートハンガは、再使用が可能となる。その際、ハンガ本体が被取付物に着脱自在に取り付けられている場合には、取り付け部を被取付物から外すことで、シートハンガを別の場所で使用することができる。
【００３１】
掛止部の素材は限定されない。例えば請求項１の掛止部と同じ素材を採用することができる。例えば、ポリエチレンを採用することができる。この場合、少なくとも掛止孔の形成部分の一帯が、掛止孔に向かうほど徐々に薄くなった掛止部としてもよい。また、各毛先が掛止孔に向かうように束ねられた環状の刷毛のようなものでもよい。掛止部は、ハンガ本体に一体的に設けてもよいし、ハンガ本体に別体で設けてもよい。
掛止孔の形状は限定されない。例えば、円形、楕円形、三角形以上の多角形、その他任意の形状でもよい。
掛止孔の大きさは、対象とする被掛止物に応じて適宜変更される。例えば直径１〜１０ｍｍである。
掛止孔の形成数は、１つでもよいし、２つ以上でもよい。
【００３２】
掛止部は、ハンガ本体に形成された任意形状の切欠部に隣接して設けてもよい。掛止部を切欠部に隣接して設けた場合には、小物を掛止部に掛止する際、掛止部に隣接する切欠部という空間の存在により、小物の掛止作業が容易になる。
切欠部は、ハンガ本体の外周縁から延びたものでもよいし、ハンガ本体の内側（例えば中央部）に形成されたものでもよい。切欠部の形状、大きさ、ハンガ本体における形成位置は限定されない。要は、掛止部と隣接する切り欠き（スリットを含む）であればよい。
【００３３】
請求項５に記載の考案は、前記ハンガ本体は、財布や衣服のポケットに収納可能な大き
さのカードで、前記取り付け部は両面テープである請求項１〜請求項４のうち、何れか１
項に記載のシートハンガである。
【００３４】
請求項５に記載の考案によれば、ハンガ本体を、財布や衣服のポケットに収納可能な大きさのカードとしたので、財布やポケットに入れて持ち運ぶことができ、携帯に便利である。しかも、使用時には、両面テープを介して被取付物にハンガ本体を貼着すればよいので使い易い。
【００３５】
請求項６に記載の考案は、前記取り付け部は、前記ハンガ本体に対して略直角な屈曲状態、または、略直角に屈曲可能な状態で設けられた請求項１〜請求項５のうち、何れか１項に記載のシートハンガである。
【００３６】
請求項６に記載の考案によれば、取り付け部がハンガ本体に対して略直角に屈曲しているか、略直角に屈曲可能な状態であるので、例えば垂直な壁などにシートハンガを取り付ける際、小物が掛止し易いように掛止部を水平に配置することができる。
取り付け部は、ハンガ本体の取り付け部が設置された部分とともに略直角に屈曲または屈曲自在としてもよいし、ハンガ本体の取り付け部が設置された部分とは別体で、屈曲または屈曲自在でもよい。
【００３７】
請求項７に記載の考案は、前記取り付け部は、前記ハンガ本体の屈曲可能な一端部に設けられ、該ハンガ本体には、該ハンガ本体の一端部を屈曲状態のままで支持する支持体が設けられた請求項１〜請求項６のうち、何れか１項に記載のシートハンガである。
【００３８】
請求項７に記載の考案によれば、ハンガ本体の一端部を屈曲させ、その状態を支持体により支持する。これにより、通常時は平坦で嵩張らないシートハンガでありながら、使用時には取り付け部が設置されるハンガ本体の一端部を屈曲し、例えば垂直な壁または傾斜した壁などに、シートハンガを取り付ける際、小物が掛止し易いように掛止部を水平に配置することができる。
【００３９】
ハンガ本体の一端部の屈曲角度は限定されない。例えば、シートハンガが取り付けられる傾斜角度に応じて変更される。例えば９０°、６０°、４５°である。
支持体は、ハンガ本体と一体形成されてもよいし、別体で形成されてもよい。
支持体がハンガ本体と一体形成されている場合の支持体としては、例えばハンガ本体の一部を舌片形状に切欠したものを採用してもよい。
支持体がハンガ本体と別体で形成されている場合の支持体としては、例えば粘着テープ、両面テープ、面状ファスナ、フック、ホックなどを採用することができる。また、その他の凹凸掛止構造体でもよい。
ハンガ本体は剛体でもよいし、弾性体でもよい。掛止部は、ハンガ本体と一体的に形成
されてもよいし、ハンガ本体と別体で形成されてもよい。
【００４０】
請求項８に記載の考案は、前記ハンガ本体は複数の部分ハンガ本体を有し、各部分ハンガ本体は、扇形状または蛇腹形状に折り畳み自在に連結された請求項１〜請求項７のうち、何れか１項に記載のシートハンガである。
【００４１】
請求項８に記載の考案によれば、ハンガ本体を折り畳み式としたので、使用時にハンガ本体を拡げれば、多数の小物を一度に吊り下げることができたり、比較的大きな物や比較的重い物でも吊り下げることができる。
【００４２】
折り畳み式のハンガ本体は、通常、２枚以上の部分ハンガ本体から構成される。折り畳み式のハンガ本体は、例えば２枚の部分ハンガ本体を突き合わせ状態で連結した２つ折りでもよいし、３枚以上の部分ハンガ本体を、隣接するもの同士、突き合わせ状態で連結した３つ折り以上でもよい。
ハンガ本体の折り畳み方は限定されない。例えば、蛇腹折りでもよいし、扇状の折り方でもよい。扇状に折り畳む方法には２種類ある。(1) 第１の方法は、複数枚の部分ハンガ本体（大きさや形状は同じものが好ましい）を、トランプのカードを束ねるときのように厚さ方向に重ね合わせ、各部分ハンガ本体の隣接する一隅部を、扇の要となる軸部（ハトメ、ピンなど）により、一括して連結する折り畳み方法である。(2) また、第２の方法は、複数枚の部分ハンガ本体（大きさや形状は同じものが好ましい）を、トランプのカードを束ねるときのように厚さ方向に重ね合わせ、各部分ハンガ本体の隣接する一辺部（部分ハンガ本体がトランプのカード形状の場合には、例えば各部分ハンガ本体の一方の短辺側の端部）同士を、例えばテープ、接着剤、一体形成などにより連結したものでもよい。
【００４３】
掛止部は、全ての部分ハンガ本体に１つずつまたは２つ以上形成してもよい。もしくは、１つまたは２つ以上（全ての部分ハンガ本体を除く）の部分ハンガ本体にだけ掛止部を形成してもよい。そして、掛止部は、複数（２つまたは３つ以上）の部分ハンガ本体に跨がって形成してもよい。
【００４４】
請求項９に記載の発明は、前記ハンガ本体の外周部には、ハンドバッグの吊り紐などを掛止する切欠部が形成されているか、形成可能に設けられた請求項１〜請求項８のうち、何れか１項に記載のシートハンガである。
【００４５】
請求項９に記載の発明によれば、ハンガ本体を取り付け部により被取付物に取り付け、その後、切欠部にハンドバッグの吊り紐や小物などを引っ掛ける。これにより、掛止部には掛止し難いハンドバッグや小物などを、簡単に吊り下げることができる。
【００４６】
切欠部の形状は限定されない。例えば、円形状、楕円形状、三角形状、四角形以上の多角形状でもよいし、その他の任意形状でもよい。そして、直線状または曲線状の細長いスリットでもよい。切欠部の大きさおよび切欠部の形成位置も限定されない。
切欠部の形成数は１つでもよいし、複数でもよい。ただし、ハンガ本体がカード形状の場合には、対向する両辺部にそれぞれ１つ以上形成した方が、ハンガ本体を跨ぐように前記吊り紐を引っ掛けられて、ハンドバッグなどの吊り下げ時の安定性がよい。
【考案の効果】
【００４７】
請求項１、請求項３および請求項４に記載のシートハンガによれば、シート形状のハンガ本体に、掛止部と取り付け部とを配設したので、簡単かつ安価な構造で、何処にでも小物を吊り下げることができる。しかも、使い捨てによる使用もできる。
このうち、請求項１の場合には、掛止部を複数の山形突起が環状または線状に連続したものとしたので、使用方法が容易でありながら、小物をしっかりとハンガ本体に吊り下げることができる。
また、請求項４の場合には、使用方法が容易でありながら、小物をハンガ本体に傷付けることなく吊り下げることができる。
【００４８】
特に、請求項２に記載の考案によれば、１つのハンガ本体に、山形突起を環状に連続した掛止部と、山形突起が線状に連続した別の掛止部とを配置したので、材質や大きさなどに応じて、異なる小物をそれぞれの掛止部に掛止することができる。
【００４９】
請求項５に記載の考案によれば、ハンガ本体をカードとし、取り付け部は両面テープとしたので、携帯に便利であるとともに、使い易い。
【００５０】
請求項６に記載の考案によれば、取り付け部を、ハンガ本体に対して略直角な屈曲状態、または、略直角に屈曲可能な状態で設けたので、垂直な壁などにシートハンガを取り付ける際、小物が掛止し易いように掛止部を水平に配置することができる。
【００５１】
請求項７に記載の考案によれば、ハンガ本体の一端部を屈曲させ、その状態を支持体により支持するので、通常時は平坦で嵩張らないシートハンガでありながら、使用時には例えば垂直な壁または傾斜した壁などに、小物が掛止し易いように掛止部を水平に配置することができる。
【００５２】
請求項８に記載の考案によれば、ハンガ本体を折り畳み式としたので、使用時にハンガ本体を展開すれば、多数の小物を一度に吊り下げることができたり、比較的大きな物や比較的重い物でも吊り下げることができる。
【００５３】
請求項９に記載の発明によれば、ハンガ本体を取り付け部により被取付物に取り付け、その後、切欠部にハンドバッグの吊り紐や小物などを引っ掛ける。これにより、掛止部には掛止し難いハンドバッグや小物などを、簡単に吊り下げることができる。
【考案を実施するための最良の形態】
【００５４】
以下、この考案の実施例を具体的に説明する。
【実施例１】
【００５５】
図１〜図３において、１０はこの考案の実施例１に係るシートハンガで、このシートハンガ１０は、所定形状のハンガ本体１１と、ハンガ本体１１に設けられ、弾性を有する多数の山形突起１２が環状に連続した掛止部１３と、ハンガ本体１１の裏面に設けられた両面テープ（取り付け部）１４とを備えている。
【００５６】
以下、これらの構成体を詳細に説明する。
ハンガ本体１１は、名刺サイズ（例えば縦９０ｍｍ×横５５ｍｍ×厚さ０．５ｍｍ）のポリ塩化ビニル製のカードである。ハンガ本体１１の表面には、所定の文字、絵、写真（シートハンガ１０が販促品の場合には広告デザイン）などが印刷されている。また、ハンガ本体１１の裏面には、シートハンガ１０の使用方法が表示されている。このハンガ本体１１に代えて、紙製のカード（名刺など）１５を表裏側からポリプロピレン製の透明フィルム１６によりラミネートしたハンガ本体１１Ａを採用してもよい（図４）。また、カード１５を表面側だけから透明フィルム１６によりラミネートしたハンガ本体１１Ｂでもよい（図５）。
ハンガ本体１１の一端側（長さ方向の一端側）の中央部には、掛止部１３が、星型のカット刃による打ち抜き加工により形成されている。ハンガ本体１１の他端部全域の裏面には、剥離紙１４ａ付きの両面テープ１４が貼着されている。
【００５７】
次に、この考案の実施例１に係るシートハンガ１０の使用方法を説明する。
まず、図１〜図３に示すように、両面テープ１４の剥離紙１４ａを剥がし、これを例えばテーブル２０の一端部の上面側に貼着する。これにより、ハンガ本体１１の掛止部側が、テーブル２０の縁から外方に突出される。
それから、掛止部１３の山形突起１２と山形突起１２との隙間に、例えばタオル、靴下、メモ用紙、ビニール袋（買い物袋）などの小物（ここではハンカチ）１８の一部を押し込むことで、これが掛止される。こうして、小物１８がハンガ本体１１に吊り下げられる。なお、ハンガ本体１１のテーブル２０への貼着と、掛止部１３への小物１８の吊り下げとの順序は限定されない。例えば、小物１８を掛止部１３に掛止した後、ハンガ本体１１をテーブル２０に貼着してもよい。
【００５８】
このようなシートハンガ１０としたので、簡単かつ安価な構造で、しかも使用方法も容易でありながら、小物１８をしっかりとハンガ本体１１に吊り下げることができる。また、何処にでも小物１８を吊り下げる（例えば洗濯後に干す）ことができる。加えて、安価であるため、使い捨てによる使用も可能である。
小物１８を掛止部１３から外したい場合（掛止解除時）には、例えば小物１８を強く引く。これにより、各山形突起１２による小物１８の引っ掛け状態が強制的に解除される。その結果、シートハンガ１０は、再使用が可能な状態となる。例えば、テーブル２０から剥がしたシートハンガ１０を、両面テープ１４を介して、車のダッシュボード（別の被取付物）などに貼着して再使用することができる。この場合、掛止部１３に図示しないビニール袋などを引っ掛けるようにすれば、シートハンガ１０を別の場所で、かつ別の用途に使用することもできる。
【００５９】
なお、ハンガ本体１１には、ハンドバッグの吊り紐などを掛止する切欠部１１Ｖを形成可能に設けてもよい（図２の二点鎖線）。すなわち、各切欠部１１Ｖは、ハンガ本体１１の両長辺のうち、長さ方向の略中間を基点とし、ハンガ本体１１の内側に向かうほど徐々に掛止部１３側に傾斜した直線状の折り筋ｖ１と、ハンガ本体１１の対応する長辺のうち、折り筋ｖ１より若干両面テープ１４側を基点とし、先端が対応した折り筋ｖ１の奥側の端に繋がる円弧形状のミシン目ｖ２とをそれぞれ有している。
使用時には、まず、各ミシン目ｖ２を破って１対の切欠片ｖ３を形成し、両切欠片ｖ３を折り筋ｖ１に沿って、ハンガ本体１１の表側または裏側に略直角に折り曲げる。これにより、ハンガ本体１１に１対の切欠部１１Ｖが形成される。その後、両切欠部１１Ｖに、ハンドバッグの吊り紐などを、ハンガ本体１１の幅方向からハンガ本体を跨ぐように引っ掛ける。これにより、掛止部１３には掛止し難いハンドバッグや手提げ袋といった吊り紐類（吊り紐、吊り線、吊り帯）を有するものなどを、簡単に吊り下げることができる。
【００６０】
また、星型の掛止部１３に代えて、山形突起１２が線状（ここでは直線状）に連続した別の掛止部１３Ａをハンガ本体１１に設けてもよい（図６）。さらに、ハンガ本体１１に、星型の掛止部１３と、線状の掛止部１３Ａとをそれぞれ設けてもよい（図７）。これにより、異なる小物１８をその材質や大きさなどに応じて、それぞれ好適な掛止部１３（例えばハンカチ用）または別の掛止部１３Ａ（例えばメモ用）に掛止することができる。
また、掛止部１３に代えて、ハンガ本体１１とは別体の掛止部１３Ｂを採用してもよい（図８）。具体的には、ハンガ本体１１に大きな円孔１１ａを形成し、ハンガ本体１１の円孔１１ａの形成部の裏面に、円孔１１ａより若干大径なゴム円板１７を固着（接着、融着など）する。このゴム円板１７に星型のスリットを形成することで掛止部１３Ｂが設けられる。ゴム円板１７の素材には、弾性係数が小さくい（剛体に近い）硬めの合成ゴム（ＳＢＲ）が使用されている。ゴム円板１７の厚さは、１〜３ｍｍである。ゴム円板１７に代えて、弾性を有する図示しないプラスチック円板を採用してもよい。ゴム円板１７の素材には、ハンガ本体１１と略同じ弾性力を有したものを採用してもよい。
【００６１】
ハンガ本体１１に代えて、剛体のハンガ本体（厚肉な硬質合成樹脂製（例えば厚さ５ｍｍ以上）、金属製など）を採用し、これに掛止部１３または掛止部１３Ｂを設けた際には、ハンガ本体が剛体であるので、小物１８を被取付物にしっかりと吊り下げることができる。このように、ハンガ本体１１と掛止部１３Ｂとを別体で設けたので、レース地のハンカチなど傷み易い素材からなる小物１８を吊り下げる際でも、軟らかいゴム製の掛止部１３Ｂによって生地などを傷めず小物１８を吊り下げることができる。
さらに、ハンガ本体１１の両面テープ側の端部１１ｂを、両面テープ１４がハンガ本体１１の長さ方向の外側を向くように、略直角に屈曲させてもよい（図９）。これにより、垂直な壁などにシートハンガ１０を貼着する（固定する）とき、掛止部１３が水平に配置されて小物１８が掛止し易い。
さらにまた、ハンガ本体１１の両面テープ側の端部１１ｂを、両面テープ１４がハンガ本体１１の長さ方向の外側を向くように略直角に屈曲させ、しかも掛止部１３に代えて、ハンガ本体１１とは別体の掛止部１３Ｂを採用してもよい（図１０）。ここでは、ハンガ本体１１として、略平面視して半円形状のものを採用し、シートハンガ１０を例えば洗面場のハンカチ置きなどとしている。
【００６２】
ハンガ本体１１として、このように両面テープ側の端部１１ｂが組み立て式の屈曲構造となるものを採用してもよい（図１１および図１２）。すなわち、両面テープ１４付きのハンガ本体１１の掛止部１３とは反対側部において、ハンガ本体１１の幅方向の中間部一帯に、開口方向が掛止部１３側を向いた切り込みａを入れる。これにより、元部がハンガ本体１１の中央部付近と連結され、先端部が両面テープ側の端部１１ｂまで達した平面視して矩形状の舌片（支持体）３０が一体形成される。
また、ハンガ本体１１には、両面テープ側の端部１１ｂとの境に、ハンガ本体１１の両面テープ側の辺と平行な折り目ｂを入れる（舌片３０を除く）。舌片３０の元部には、折り目ｂと平行な折り目ｃを入れる。さらに、舌片３０の先部であって、折り目ｂより若干掛止部１３とは反対側の位置には、折り目ｂと平行な折り目ｄを入れる。これにより、舌片３０の先端部に屈曲自在な固定部３０ａが形成される。ハンガ本体１１は両面テープ１４付きである。そのため固定部３０ａの裏面にも両面テープ１４の一部が付いている。
【００６３】
使用時には、まず、固定部３０ａの部分を含む全ての両面テープ１４を剥がすとともに、両面テープ側の端部１１ｂを、折り目ｂを中心にしてハンガ本体１１の表方向に直角に折り曲げる。次に、折り目ｃを中心にして、舌片３０を若干ハンガ本体１１の表方向に折り曲げる。そして、固定部３０ａを、両面テープ側の端部１１ｂのうち、舌片３０の先端側の辺の形成部に貼着する。その後、両面テープ側の端部１１ｂを、両面テープ１４を介して、例えば建物の垂直な壁などに貼着する。このとき、舌片３０が、ハンガ本体１１を両面テープ側の端部１１ｂに直角に保持する斜めの梁となる。これにより、垂直な壁などにシートハンガ１０を固定するとき、掛止部１３が水平に配置されて小物１８が掛止し易い。
このように、ハンガ本体１１の一端部を屈曲させ、その状態を舌片３０により支持するようにしたので、通常は平坦で嵩張らないシートハンガでありながら、使用時には両面テープ側の端部１１ｂが設置されるハンガ本体１１の一端部を屈曲し、例えば垂直な壁または傾斜した壁などに、シートハンガを取り付ける際、小物が掛止し易いように掛止部１３を水平に配置することができる。
【００６４】
また、掛止部１３に代えて、他の掛止部１３Ｃをハンガ本体１１に設けてもよい（図１３）。具体的には、ハンガ本体１１に前記円孔１１ａを形成し、ハンガ本体１１の円孔１１ａの形成部の裏面に、円孔１１ａより若干大径で、かつ中央部に表裏面を貫通する掛止孔１７ａが形成されたゴム円板１７Ａを固着する。ゴム円板１７Ａの素材には、弾性係数が大きくて軟らかい合成ゴム（例えばＳＢＲ）が使用されている。ゴム円板１７Ａの厚さは、１〜３ｍｍである。
【００６５】
このような掛止部１３Ｃを有したものの使用時には、掛止部１３Ｃの弾性力に抗して、ハンカチなどの小物（ハンカチ）１８の一部を指で掛止孔１７ａの中に押し込む。その後、押し込んだ指を抜き取れば、それと同時に掛止部１３Ｃの弾性力によって掛止孔１７ａ（ゴム円板１７Ａの掛止孔形成壁）が縮まり、小物１８が掛止部１３Ｃに引っ掛かる。その結果、簡単かつ安価な構造で、しかも使用方法も容易でありながら、小物１８をハンガ本体１１に傷付けることなく吊り下げることができる。
小物１８の掛止解除時には、例えば小物１８を強く引っ張るだけで、弾性的に収縮した掛止孔１７ａの形成壁による小物１８の引っ掛かかりが強制的に解除される。しかも、掛止状態が解除された直後、掛止孔１７ａは元の寸法および元の位置に弾性復帰する。これにより、シートハンガ１０は、再使用が可能となる。
【００６６】
また、掛止部１３に代えて、ハンガ本体１１に形成された切欠部１１ｃに隣接して設けられた掛止部１３Ｄを採用してもよい（図１４）。具体的には、ハンガ本体１１の先側部に馬蹄形状を有する切欠部１１ｃを形成する。これにより、切欠部１１ｃの内側に、元部が括れた舌片形状の掛止部１３Ｄが、ハンガ本体１１と一体形成される。掛止部１３Ｄには、例えばビニール袋１８を吊り下げることができる。
この掛止部１３Ｄを有したカード式のものの使用時には、両面テープ１４を介して、ハンガ本体１１をテーブル（被取付物）１９に取り付けるとともに、小物１８の一部を掛止孔１７ａに掛止する。これにより、簡単かつ安価な構造で、しかも使用方法も容易でありながら、小物１８をハンガ本体１１に吊り下げることができる。しかも、ハンガ本体１１を、財布や衣服のポケットに収納可能な大きさのカードとしたので、シートハンガ１０の携帯性が高まる。さらに、使用時には、両面テープ１４の剥離紙１４ａを剥がし、テーブル１９などの被取付物にハンガ本体１１を貼着すればよいので使い易い。
【００６７】
次に、図１５を参照して、この考案の実施例２に係るシートハンガを説明する。
図１５に示すように、実施例２のシートハンガ１０Ａは、ハンガ本体１１Ｃとして、３枚の部分ハンガ本体４０を有し、各部分ハンガ本体４０の幅方向の端同士を、折り目ｅを介してそれぞれ連結したものである。これにより、ハンガ本体１１Ｃが蛇腹状に折り畳み自在に構成される。
使用時には、ハンガ本体１１Ｃを広げ、各部分ハンガ本体４０の両面テープ１４の剥離紙１４ａをそれぞれ剥がし、テーブル１９にハンガ本体１１Ｃを貼着する。
ハンガ本体１１Ｃを折り畳み式としたので、使用時にハンガ本体１１Ｃを展張すれば、複数の小物１８を一度に吊り下げられたり、比較的大きな物や比較的重い物（例えばシャツ）でも吊り下げることができる。
その他の構成、作用、効果は、実施例１と同じであるので説明を省略する。
【００６８】
次に、図１６を参照して、この考案の実施例３に係るシートハンガを説明する。
図１６に示すように、実施例３のシートハンガ１０Ｂは、ハンガ本体１１Ｄとして、３枚の部分ハンガ本体４０を有し、これらをトランプのカードを束ねるときのように厚さ方向に重ね合わせ、各部分ハンガ本体４０の隣接する一隅部を、扇の要となる軸部ピン４１により、一括して連結したものである。このとき、各部分ハンガ本体４０は表裏面が、両面テープ１４の貼着面に対して平行な状態（横置き状態）となる。これにより、ハンガ本体１１Ｄの折り畳みが容易になるとともに、ハンガ本体１１Ｄの開閉角度を自在に調整することができる。
【００６９】
次に、図１７を参照して、この考案の実施例４に係るシートハンガを説明する。
図１７に示すように、実施例４のシートハンガ１０Ｃは、３枚の部分ハンガ本体４０を、トランプのカードを束ねるときのように厚さ方向に重ね合わせ、かつこれらを表側カバー４２および裏側カバー４３とによりサンドイッチし、各部分ハンガ本体４０および両カバー４２，４３の隣接する一方の短辺側の端部同士を、一体形成により連結したものである。各部分ハンガ本体４０には、両面テープ１４は配設されていない。両カバー４２，４３は、部分ハンガ本体４０と同じ大きさのカード形状を有している。両カバー４２，４３の外側には、両面テープ１４がそれぞれ設けられている。
【００７０】
シートハンガ１０Ｃの使用時には、シートハンガ１０Ｃを扇形状に広げ、両面テープ１４を介して両カバー４３を建物の壁などに貼着する。このとき、各部分ハンガ本体４０は、両面テープ１４の貼着面に対して直交状態（縦置き状態）となる。その後、各部分ハンガ本体４０の掛止部１３に、横方向から小物１８をそれぞれ掛止する。このように、各部分ハンガ本体４０を縦置き状態で使用可能としたので、複数の小物１８を狭いスペースに吊り下げることができる。
なお、シートハンガとして、多数枚の部分ハンガ本体４０を、周方向に所定間隔をあけて環状に配置したものでもよい。
その他の構成、作用、効果は、実施例１と略同じであるので説明を省略する。
【図面の簡単な説明】
【００７１】
【図１】この考案の実施例１に係るシートハンガの使用状態の斜視図である。
【図２】この考案の実施例１に係るシートハンガの斜視図である。
【図３】この考案の実施例１に係るシートハンガの要部拡大断面図である。
【図４】この考案の実施例１に係る別の形態のシートハンガの要部拡大断面図である。
【図５】この考案の実施例１に係るまた別の形態のシートハンガの要部拡大断面図である。
【図６】この考案の実施例１に係るさらに別のシートハンガの斜視図である。
【図７】この考案の実施例１に係るさらにまた別のシートハンガの斜視図である。
【図８】この考案の実施例１に係る他のシートハンガの斜視図である。
【図９】この考案の実施例１に係るまた他のシートハンガの斜視図である。
【図１０】この考案の実施例１に係るさらに他のシートハンガの使用状態の斜視図である。
【図１１】この考案の実施例１に係るさらにまた他のシートハンガの展開状態の斜視図である。
【図１２】この考案の実施例１に係るさらにまた他のシートハンガの組み立て状態の斜視図である。
【図１３】この考案の実施例１に係る異なるシートハンガの斜視図である。
【図１４】この考案の実施例１に係る異なるシートハンガの使用状態の斜視図である。
【図１５】この考案の実施例１に係るまた異なるシートハンガの斜視図である。
【図１６】この考案の実施例２に係るシートハンガの展開状態の斜視図である。
【図１７】この考案の実施例２に係るシートハンガの使用状態の斜視図である。
【符号の説明】
【００７２】
１０，１０Ａ〜１０Ｃ  シートハンガ
１１，１１Ａ〜１１Ｄ  ハンガ本体
１１Ｖ  切欠部
１２  山形突起
１３，１３Ａ〜１３Ｄ  掛止部
１４  両面テープ（取り付け部）
【図１】
0003112253.tif 000003
【図２】
0003112253.tif 000004
【図３】
0003112253.tif 000005
【図４】
0003112253.tif 000006
【図５】
0003112253.tif 000007
【図６】
0003112253.tif 000008
【図７】
0003112253.tif 000009
【図８】
0003112253.tif 000010
【図９】
0003112253.tif 000011
【図１０】
0003112253.tif 000012
【図１１】
0003112253.tif 000013
【図１２】
0003112253.tif 000014
【図１３】
0003112253.tif 000015
【図１４】
0003112253.tif 000016
【図１５】
0003112253.tif 000017
【図１６】
0003112253.tif 000018
【図１７】
0003112253.tif 000019